(57)【要約】【課題】発電話番号を相手端末に知られずに、相手端末からのコールバックを可能とする。【解決手段】電話交換サービス分析部２が呼接続要求を受信すると、着電話番号が仮電話番号でない場合には、着電話番号に対応した仮電話番号データベース３内の仮電話番号を参照して未使用の仮電話番号を割り当て、仮電話番号データベース３に登録し、呼接続要求中の発電話番号を仮電話番号と差し替えて、着電話番号に対応する着呼側の端末に転送する。仮電話番号である場合には、仮電話番号データベース３から、発電話番号及び仮電話番号に対応する変換前電話番号を読み出し、呼接続要求中に着電話番号として設定されている仮電話番号と差し替えて、着呼側の端末に転送する。発電話番号を一時的にコールバック可能な番号に変換して相手端末に転送するので、発電話番号を相手端末に知られずに、相手端末からのコールバックが可能となる。【選択図】図１
2009232115.tif 000002
【特許請求の範囲】
【請求項１】
電話端末間の呼接続を行う電話交換システムにおいて、
電話番号毎に仮電話番号と該仮電話番号に紐付く変換前電話番号を保持する仮電話番号保持手段と、
発電話番号と着電話番号とを含む呼接続要求を受信すると、着電話番号が仮電話番号かを判断し、
着電話番号が仮電話番号でない場合には、該着電話番号に対応した前記仮電話番号保持手段内の仮電話番号を参照して未使用の仮電話番号を割り当て、割り当てた該仮電話番号と、該発電話番号を示す変換前電話番号との組を、該着電話番号に対応付けて前記仮電話番号保持手段に登録し、該呼接続要求中の該発電話番号を該仮電話番号に差し替えて該着電話番号に対応する着端末に転送し、
着電話番号が仮電話番号である場合には、前記仮電話番号保持手段から、該発電話番号及び該仮電話番号に対応する変換前電話番号を読み出し、該呼接続要求中の該着電話番号を該仮電話番号から該変換前電話番号に差し替えて、該変換前電話番号に対応する着端末に転送する電話交換サービス分析手段と
を備えることを特徴とする電話交換システム。
【請求項２】
前記仮電話番号を該仮電話番号保持手段に登録してから一定時間が経過すると、該仮電話番号を削除する手段を備えることを特徴とする請求項１に記載の電話交換システム。
【請求項３】
前記仮電話番号を探索した回数が一定回数を超過すると、前記仮電話番号保持手段から該仮電話番号を削除する手段を備えることを特徴とする請求項１に記載の電話交換システム。
【請求項４】
電話端末間の呼接続を行う電話交換システムに用いられる電話交換方法であって、
電話番号毎に仮電話番号と該仮電話番号に紐付く変換前電話番号を仮電話番号保持手段に保持しておき、
電話交換サービス分析手段が、
発電話番号と着電話番号とを含む呼接続要求を受信すると、着電話番号が仮電話番号かを判断し、
着電話番号が仮電話番号でない場合には、該着電話番号に対応した前記仮電話番号保持手段内の仮電話番号を参照して未使用の仮電話番号を割り当て、割り当てた該仮電話番号と、該発電話番号を示す変換前電話番号との組を、該着電話番号に対応付けて前記仮電話番号保持手段に登録し、該呼接続要求中の該発電話番号を該仮電話番号に差し替えて該着電話番号に対応する着端末に転送し、
着電話番号が仮電話番号である場合には、前記仮電話番号保持手段から、該発電話番号及び該仮電話番号に対応する変換前電話番号を読み出し、該呼接続要求中の該着電話番号を該仮電話番号から該変換前電話番号に差し替えて、該変換前電話番号に対応する着端末に転送する
ことを特徴とする電話交換方法。
【発明の詳細な説明】
【技術分野】
【０００１】
本発明は、電話番号を秘匿するサービスを実現するための電話交換システム及び方法に関する。
【背景技術】
【０００２】
発番号を相手端末に通知するか、非通知とするかを、電話加入者が選択できる発番号非通知サービスが様々な電話会社から提供されている。より具体的には、特許文献１には、発番号非通知の着呼があったときに、発番号を教えてくれれば通話してよいと着呼側が考えた場合に、発呼側に電話番号を伝えるようにしたものが記載されている。
【０００３】
図５は、従来のこのような発番号非通知サービスを実施するためのシステムの構成例を示すものである。図５において、電話交換サービス分析部１０２は、端末１０１ａから呼接続要求中の宛電話番号を分析する。そして、発電話番号に対応する加入者が、発番号非通知サービスに加入している場合は、該呼接続要求中の発電話番号を、匿名を示す番号と差し替えて、着電話番号に対応する端末１０１ｂに転送する。同サービスに加入していない場合は、該発電話番号を差し替えずに該呼接続要求を端末１０１ｂに転送する。
【特許文献１】特開平１１−６８９５２号公報
【発明の開示】
【発明が解決しようとする課題】
【０００４】
ところが、上述の従来のシステムでは、発番号非通知サービスを使用しない場合、発番号を相手端末１０１ｂに知られてしまうが、相手端末１０１ｂから発信者端末１０１ａへのコールバックは可能となる。逆に発番号非通知サービスを使用すると、発番号を相手端末１０１ｂに知られないメリットがあるが、相手端末１０１ｂからコールバックできないという問題がある。
【０００５】
上述の課題を鑑み、本発明は、発番号を相手端末に知られずに、相手端末からのコールバックを可能とするようなサービスを実現できる電話交換システム及び方法を提供することを目的とする。
【課題を解決するための手段】
【０００６】
上述の課題を解決するために、本発明は、電話端末間の呼接続を行う電話交換システムにおいて、電話番号毎に仮電話番号と該仮電話番号に紐付く変換前電話番号を保持する仮電話番号保持手段と、発電話番号と着電話番号とを含む呼接続要求を受信すると、着電話番号が仮電話番号かを判断し、着電話番号が仮電話番号でない場合には、該着電話番号に対応した前記仮電話番号保持手段内の仮電話番号を参照して未使用の仮電話番号を割り当て、割り当てた該仮電話番号と、該発電話番号を示す変換前電話番号との組を、該着電話番号に対応付けて前記仮電話番号保持手段に登録し、該呼接続要求中の該発電話番号を該仮電話番号に差し替えて該着電話番号に対応する着端末に転送し、着電話番号が仮電話番号である場合には、前記仮電話番号保持手段から、該発電話番号及び該仮電話番号に対応する変換前電話番号を読み出し、該呼接続要求中の該着電話番号を該仮電話番号から該変換前電話番号に差し替えて、該変換前電話番号に対応する着端末に転送する電話交換サービス分析手段とを備えることを特徴とする電話交換システムである。
【０００７】
上記発明において、前記仮電話番号を前記仮電話番号保持手段に登録してから一定時間が経過すると、該仮電話番号を削除する削除手段を備えることを特徴とする。
【０００８】
上記発明において、前記仮電話番号を探索した回数が一定回数を超過すると、前記仮電話番号保持手段から該仮電話番号を削除する削除手段を備えることを特徴とする。
【０００９】
本発明は、電話端末間の呼接続を行う電話交換システムに用いられる電話交換方法であって、電話番号毎に仮電話番号と該仮電話番号に紐付く変換前電話番号を仮電話番号保持手段に保持しておき、電話交換サービス分析手段が、発電話番号と着電話番号とを含む呼接続要求を受信すると、着電話番号が仮電話番号かを判断し、着電話番号が仮電話番号でない場合には、該着電話番号に対応した前記仮電話番号保持手段内の仮電話番号を参照して未使用の仮電話番号を割り当て、割り当てた該仮電話番号と、該発電話番号を示す変換前電話番号との組を、該着電話番号に対応付けて前記仮電話番号保持手段に登録し、該呼接続要求中の該発電話番号を該仮電話番号に差し替えて該着電話番号に対応する着端末に転送し、着電話番号が仮電話番号である場合には、前記仮電話番号保持手段から、該発電話番号及び該仮電話番号に対応する変換前電話番号を読み出し、該呼接続要求中の該着電話番号を該仮電話番号から該変換前電話番号に差し替えて、該変換前電話番号に対応する着端末に転送することを特徴とする電話交換方法である。
【発明の効果】
【００１０】
本発明によれば、発電話番号を一時的にコールバック可能な番号に変換して相手端末に転送することにより、発番号を相手端末に知られずに、相手端末からのコールバックが可能となる。
【発明を実施するための最良の形態】
【００１１】
以下、本発明の実施の形態について図面を参照しながら説明する。図１は、本発明の実施形態を示すものである。図１において、１ａ、１ｂは端末、２は電話交換サービス分析部、３は仮電話番号データベースである。
【００１２】
電話交換サービス分析部２には、仮電話番号データベース３が接続されている。固定電話交換サービスの場合、電話交換サービス分析部２は、着交換機またはサービス制御ポイント（ＳＣＰ）に該当する。ＳＩＰ（Session Initiation Protocol）による電話交換サービスの場合は、アプリケーションサーバ（ＡＳ）に該当する。電話交換サービスにおけるＳＣＰ及びＡＳの接続位置及び機能概要は、以下のＵＲＬなどで見ることができる。
［連載：ＮＧＮの核となるIMS(1)］
<URL:http://wbb.forum.impressrd.jp/feature/20060720/165>
［連載：ＮＧＮの核となるIMS(2)］
<URL:http://wbb.forum.impressrd.jp/feature/20070115/372?page=0%2C3>
【００１３】
仮電話番号データベース３には、図２に示すように、電話番号毎に、０または一つまたは複数の仮電話番号と各仮電話番号に紐付く変換前電話番号が保持されている。
仮電話番号データベース３は、例えばデータベースサーバなどの記憶装置により実現することができるが、電話交換サービス分析部２を実現する装置内に備えることでも良い。
【００１４】
本発明の実施形態では、電話交換サービス分析部２は、発電話番号と着電話番号を含む呼接続要求を受信すると、着電話番号が仮電話番号かどうか分析し、仮電話番号でない場合には、着電話番号に対応した仮電話番号データベース３内の仮電話番号を参照して未使用の仮電話番号を割り当て、割り当てた仮電話番号と、発電話番号を示す変換前電話番号との組を着電話番号に対応付けて仮電話番号データベース３に登録し、呼接続要求中の発電話番号を仮電話番号と差し替えて、着電話番号に対応する着呼側の端末に転送する。一方、電話交換サービス分析部２の受信した呼接続要求の着電話番号が仮電話番号である場合には、仮電話番号データベース３から、発電話番号に対応した仮電話番号を読み出し、発電話番号及び仮電話番号に対応する変換前電話番号を読み出し、呼接続要求中の着電話番号を、仮電話番号から変換前電話番号と差し替えて、変換前電話番号に対応する着呼側の端末に転送する処理を行う。
【００１５】
なお、図示しない削除手段は、仮電話番号データベース３に保持されている仮電話番号を、当該仮電話番号が登録されてから一定時間経過すると、仮電話番号データベース３から削除する。また、この削除手段は、仮電話番号データベース３に保持されている仮電話番号を、当該仮電話番号を探索した回数が一定回数を超過すると、仮電話番号データベース３から削除する。
【００１６】
図３及び図４は、電話交換サービス分析部２の処理を示すフローチャートである。
【００１７】
図３に示すように、電話交換サービス分析部２は、発電話番号と着電話番号が設定された呼接続要求を受信すると、着電話番号が仮電話番号かどうか分析する（ステップＳ１）。例えば、特番のプレフィクスなどでその他の電話番号と識別可能とする。
【００１８】
仮電話番号でない場合には、電話交換サービス分析部２は、着電話番号に対応する加入者が、仮電話番号通知サービスに加入しているかどうか分析する（ステップＳ２）。これは、例えば、電話交換サービス分析部２の備える記憶手段、または、仮電話番号データベース３に、仮番号通知サービスに加入している電話番号を保持しておき、この電話番号を参照することによって判断する。加入しているのであれば（ステップＳ２：ＹＥＳ）、電話交換サービス分析部２は、仮電話番号データベース３から、該着電話番号に紐付く仮電話番号を読み出して（ステップＳ３）、末使用の仮電話番号を割り当て、割り当てた仮電話番号と変換前の該発電話番号との組を、該着電話番号に対応付けて仮電話番号データベース３に登録する（ステップＳ４）。電話交換サービス分析部２は、呼接続要求中の発電話番号を該仮電話番号に差し替えて、該着電話番号に対応する端末に転送し（ステップＳ５）、該着電話番号の該仮電話番号に対応するサービス持続タイマと、サービスカウンタの初期化を行う（ステップＳ６）。
【００１９】
なお、ステップＳ１で着電話番号が仮電話番号でなく（ステップＳ１：ＮＯ）、且つ、ステップＳ２で着電話番号が仮電話番号通知サービスに加入していないと判断された場合（ステップＳ２：ＮＯ）、電話交換サービス分析部２は、該呼接続要求中の発電話番号を差し替えずに、該着電話番号に対応する端末に転送する（ステップＳ７）。
【００２０】
ステップＳ１で、着電話番号が仮電話番号である場合には（ステップＳ１：ＹＥＳ）、電話交換サービス分析部２は、発電話番号に対応する加入者が、仮電話番号通知サービスに加入しているかどうか分析する（ステップＳ８）。加入しているのであれば（ステップＳ８：ＹＥＳ）、電話交換サービス分析部２は、仮電話番号データベース３から、該発電話番号に紐付く仮電話番号を読み出し（ステップＳ９）、読み出した仮電話番号の中から呼接続要求で受信した仮電話番号に対応する変換前電話番号を特定する。電話交換サービス分析部２は、この特定した変換前電話番号により呼接続要求中の着電話番号を差し替えて、着交換機または着端末に転送する（ステップＳ１０）。電話交換サービス分析部２は、該着電話番号の該仮電話番号に対応するサービスカウンタをインクリメントし（ステップＳ１１）、サービスカウンタがあらかじめ設定した閾値以上であれば（ステップＳ１２）、仮電話番号データベース３に設定されている、該発電話番号に紐付く該仮電話番号を削除する（ステップＳ１３）。
【００２１】
また、図４に示すように、各電話番号の各仮電話番号に対応するサービス持続タイマが満了すると、仮電話番号データベース３に設定されている、満了したサービス持続タイマに対応する、該電話番号に紐付く該仮電話番号を削除する（ステップＳ１４）。
【００２２】
上記に処理により、例えば、端末１ａが、端末１ｂへ通常の電話番号により発呼した場合、電話交換サービス分析部２は、発電話番号（端末１ａの電話番号、以下「電話番号Ａ」）と着電話番号（端末１ｂの電話番号、「電話番号Ｂ」）を含む呼接続要求を受信する。この場合、着電話番号が仮電話番号ではないため、当該着電話番号（電話番号Ｂ）に対応する仮電話番号データベース３内の仮電話番号を参照して未使用の仮電話番号を割り当て、割り当てた仮電話番号（端末１ａの仮電話番号、以下「仮電話番号Ａ’」）と、発電話番号（電話番号Ａ）を示す変換前電話番号との組を着電話番号（電話番号Ｂ）に対応付けて仮電話番号データベース３に登録する。そして、呼接続要求中の発電話番号（電話番号Ａ）を仮電話番号（仮電話番号Ａ’）に差し替えて、着呼側の端末１ｂに転送する。
その後、端末１ｂが、通知された端末１ａの仮電話番号Ａ’を用いてコールバックした場合、電話交換サービス分析部２は、発電話番号（電話番号Ｂ）と着電話番号（仮電話番号Ａ’）を含む呼接続要求を受信する。この場合、着電話番号は仮電話番号であるため、電話交換サービス分析部２は、仮電話番号データベース３から、発電話番号（電話番号Ｂ）及び仮電話番号（仮電話番号Ａ’）に対応する変換前電話番号（電話番号Ａ）を読み出し、呼接続要求中の着電話番号を仮電話番号（仮電話番号Ａ’）から変換前電話番号（電話番号Ａ）に差し替えて、着呼側の端末１ａに転送する処理を行う。
【００２３】
以上説明したように、本発明の実施形態では、電話交換サービス分析部２は、発呼側の端末１ａの電話番号を一時的にコールバック可能な番号に変換してから、相手側の端末１ｂに転送する。これにより、発呼側の端末１ａの電話番号を相手側の端末１ｂに知られずに、端末１ｂから端末１ａへのコールバックが可能になる。
【００２４】
なお、上述の実施形態では、仮電話番号の有効な期間を、時間と使用回数で制限する例を示しているが、時間、または使用回数のみで制限してもよい。あるいは制限しなくてもよい。また、上述の実施形態では含んでいないが、電話交換サービス分析部２は、仮電話番号を着端末に通知する前に発端末に仮電話番号通知サービスを使用するかどうかトーキーで通知し、発端末の操作者に判断させてもよい。
【００２５】
さらに、上述の実施形態では、仮電話番号の通知を受けるかどうかを、着側の電話番号毎のサービスとしているが、発信者側のサービスとしてもよい。この場合、例えば、電話交換サービス分析部２が、発側の端末において着電話番号＋特番がダイヤルされたことを認識した場合に、上記処理により仮電話番号通知サービスを提供する。
【００２６】
本発明は、上述した実施形態に限定されるものではなく、この発明の要旨を逸脱しない範囲内で様々な変形や応用が可能である。
【００２７】
なお、上述の電話交換サービス分析部２は、内部にコンピュータシステムを有している。そして、上述した電話交換サービス分析部２の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵや各種メモリ、ＯＳや周辺機器等のハードウェアを含むものである。
【００２８】
また、「コンピュータシステム」は、ＷＷＷシステムを利用している場合であれば、ホームページ提供環境（あるいは表示環境）も含むものとする。
【００２９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【図面の簡単な説明】
【００３０】
【図１】本発明の実施形態の電話交換システムの構成の説明に用いるブロック図である。
【図２】本発明の実施形態の電話交換システムにおける仮電話番号データベース内のリストの説明図である。
【図３】本発明の実施形態の電話交換サービス分析部における電話交換処理の説明に用いるフローチャートである。
【図４】本発明の実施形態の電話交換サービス分析部における電話交換処理の説明に用いるフローチャートである。
【図５】従来の電話交換システムの構成の説明に用いるブロック図である。
【符号の説明】
【００３１】
１ａ、１ｂ：端末
２：電話交換サービス分析部
３：仮電話番号データベース（仮電話番号保持手段）
【図１】
2009232115.tif 000003
【図２】
2009232115.tif 000004
【図３】
2009232115.tif 000005
【図４】
2009232115.tif 000006
【図５】
2009232115.tif 000007